(57)【要約】【課題】飛翔害虫、特にコバエ類に対して長期間にわたり高い誘引効果と捕獲効率を示し、しかも構造が簡単で、使い易い飛翔害虫捕獲具の提供。【課題の解決手段】液状の薬剤組成物を担体に保持させた薬剤保持体を容器に収納し、害虫進入口を複数個有する蓋状体を前記容器の開口天面に嵌着してなる飛翔害虫捕獲具において、前記薬剤組成物が殺虫成分と揮散性誘引成分と蒸散抑制物質を含有し、かつ、前記薬剤保持体と前記蓋状体との空隙を前記容器の容積の０．２〜０．６倍とした飛翔害虫捕獲具。前記害虫進入口の１個当たりの開孔面積としては１．０〜２０ｍｍ2であるのが好ましい。【選択図】図２
2011101613.tif 000002
【特許請求の範囲】
【請求項１】
液状の薬剤組成物を担体に保持させた薬剤保持体を容器に収納し、害虫進入口を複数個有する蓋状体を前記容器の開口天面に嵌着してなる飛翔害虫捕獲具において、前記薬剤組成物が殺虫成分と揮散性誘引成分と蒸散抑制物質を含有し、かつ、前記薬剤保持体と前記蓋状体との空隙を前記容器の容積の０．２〜０．６倍としたことを特徴とする飛翔害虫捕獲具。
【請求項２】
前記害虫進入口の１個当たりの開孔面積が１．０〜２０ｍｍ2であることを特徴とする請求項１に記載の飛翔害虫捕獲具。
【請求項３】
前記蒸散抑制物質が脂肪族多価アルコールであることを特徴とする請求項１又は２に記載の飛翔害虫捕獲具。
【請求項４】
前記脂肪族多価アルコールがグリセリンであることを特徴とする請求項３に記載の飛翔害虫捕獲具。
【請求項５】
前記殺虫成分がジノテフランであることを特徴とする請求項１ないし４のいずれかに記載の飛翔害虫捕獲具。
【請求項６】
前記担体がセルロース系担体であることを特徴とする請求項１ないし５のいずれかに記載の飛翔害虫捕獲具。
【請求項７】
コバエ防除用であることを特徴とする請求項１ないし６いずれかに記載の飛翔害虫捕獲具。
【発明の詳細な説明】
【技術分野】
【０００１】
本発明は、ハエ類、蚊類、コバエ類等の飛翔害虫、特に、ショウジョウバエ、ノミバエ、クロバネキノコバエ、キノコバエ、チョウバエ等のコバエ類を誘引して捕獲する飛翔害虫捕獲具に関するものである。
【背景技術】
【０００２】
従来、飛翔昆虫を捕獲するものとしていくつかの捕獲器が提案されている。例えば、特許文献１（特開２００２−２７２３４４号公報）には、昆虫の侵入口を設けた容器であって、水溶性の誘引剤及び油脂である捕獲剤が入っている飛翔昆虫用捕獲器が記載されているが、液がこぼれたり、容器内で幼虫が発生し使用者に不快感を与えるなどの問題を有していた。この特許文献１の対象はイエバエ等の各種飛翔害虫を含み、実施例では、直径０．８ｃｍ（５０ｍｍ2）の侵入口が記載されているが、特にコバエ類に対する捕獲性の点で効果が十分とはいえなかった。
また、特許文献２（特開２００９−１１２１９７号公報）は、飛翔性害虫が進入可能な開口部を備えた本体と、害虫誘引成分を含むとともに当該本体に収容される薬剤とを備え、当該薬剤は、所定の粘性を有する泡状に形成されてなる脱出抑制材を構成している害虫捕獲器等を開示する。しかしながら、これらの害虫捕獲器は特定の脱出抑制材の使用を必須とし、構成が複雑であるうえ、例えば、開口部の仕様等について十分な検討がなされているわけではない。
更に、文献３（実開平６−６８４６３号公報）には、基材の少なくとも片面に設けた粘着剤層を有する粘着捕獲板と、及びこの粘着捕獲板を保持する固定用治具とからなる飛翔害虫捕獲具が記載され、この固定用治具は例えば、植木鉢の土中に突き刺す形状であることが図示されている。この飛翔害虫捕獲具は、観葉植物まわりでの使用を意図したものであるが、使用の際に使用者の手などに粘着剤が付着したりして使い勝手が悪く、実用的とは言えなかった。
【先行技術文献】
【特許文献】
【０００３】
【特許文献１】特開２００２−２７２３４４号公報
【特許文献２】特開２００９−１１２１９７号公報
【特許文献３】実開平６−６８４６３号公報
【発明の概要】
【発明が解決しようとする課題】
【０００４】
本発明は、飛翔害虫、特にコバエ類に対して長期間にわたり高い誘引効果と捕獲効率を示し、しかも構造が簡単で、使い易い飛翔害虫捕獲具を提供しようとするものである。
【課題を解決するための手段】
【０００５】
本発明は、以下の構成が上記目的を達成するために優れた効果を奏することを見出したものである。
（１）液状の薬剤組成物を担体に保持させた薬剤保持体を容器に収納し、害虫進入口を複数個有する蓋状体を前記容器の開口天面に嵌着してなる飛翔害虫捕獲具において、前記薬剤組成物が殺虫成分と揮散性誘引成分と蒸散抑制物質を含有し、かつ、前記薬剤保持体と前記蓋状体との空隙を前記容器の容積の０．２〜０．６倍とした飛翔害虫捕獲具。
（２）前記害虫進入口の１個当たりの開孔面積が１．０〜２０ｍｍ2である（１）に記載の飛翔害虫捕獲具。
（３）前記蒸散抑制物質が脂肪族多価アルコールである（１）又は（２）に記載の飛翔害虫捕獲具。
（４）前記脂肪族多価アルコールがグリセリンである（３）に記載の飛翔害虫捕獲具。
（５）前記殺虫成分がジノテフランである（１）ないし（４）のいずれかに記載の飛翔害虫捕獲具。
（６）前記担体がセルロース系担体である（１）ないし（５）のいずれかに記載の飛翔害虫捕獲具。
（７）コバエ防除用である（１）ないし（６）のいずれかに記載の飛翔害虫捕獲具。
【発明の効果】
【０００６】
本発明の飛翔害虫捕獲具は、飛翔害虫、特にコバエ類に対して長期間にわたり高い誘引効果と捕獲効率を示し、しかも構造が簡単で、使い易いのでその実用性は極めて高い。
【図面の簡単な説明】
【０００７】
【図１】本発明飛翔害虫捕獲具の一実施例の背面からの斜視図を示す。
【図２】正面からの斜視図を示す。
【発明を実施するための形態】
【０００８】
本発明の飛翔害虫捕獲具は、薬剤保持体を収納した容器の開口天面に、害虫進入口を複数個穿設した蓋状体を嵌着して構成される。
容器の材質としては、ポリエステル（ＰＥＴ）、ポリエステル／ポリエチレン（ＰＥＴ／ＰＥ）、ポリプロピレン（ＰＰ）等のプラスチックや金属、ガラス等があげられるが、経済性をも考慮してプラスチックを素材とする真空成形品が好ましい。その大きさは任意であるが、例えば、２０〜４０ｍｍの方形で高さが１０〜２０ｍｍ程度のものが使い易く、通常開口天面の周囲に数ｍｍ幅のフランジ部が設けられる。また、プラスチック製容器の側面や底部表面は平坦であってよいが、例えば平行な凸条模様など、任意な断面形状に形成させても構わない。
本発明の飛翔害虫捕獲具は、その使用前に容器中の薬剤保持体から揮散性誘引成分が蒸散するのを防止するため、開口天面がバリアフィルムで被覆されているのが好ましく、前記フランジ部はそのシール用に供される。ここでバリアフィルムとしては、アルミニウムフィルム層にＰＥＴやＰＰをラミネートしたものを例示できるが、バリア性を付与でき、かつピール性に優れる限り限定されない。
【０００９】
一方、前記蓋状体は、ＰＰのようなプラスチックを用いたインジェクション成形品が本発明に適し、前記容器の開口天面に相当する部分に、害虫進入口が、複数個、好ましくは２０〜８０個穿設されている。また、蓋状体及び／又は容器の一周辺部分から、支持部材を延出させた形態とすれば、載置用としてだけでなく、種々の設置方法が可能となる。例えば、フック状の支持部材であれば、水回り近くのゴミ箱等に引っ掛けて使用することができ、特に台所等で発生するショウジョウバエ類の防除に有用であるし、一方、支持部材が先細に収束するスティック状の場合、植木鉢の土中に挿して使用することもできるので、特に観葉植物まわりで発生するキノコバエ類の防除用に好適である。
【００１０】
本発明は、後記するように、薬剤保持体に保持される薬剤組成物として、殺虫成分と揮散性誘引成分と共に蒸散抑制物質を配合し、かつ、薬剤保持体と蓋状体との空隙を容器の容積の０．２〜０．６倍とすることによって、揮散性誘引成分の蒸散調整を図り、高い誘引効果と捕獲効率を達成したことに特徴を有する。
即ち、薬剤保持体の上面から蓋状体の間に形成される効果的な誘引空間、並びに捕獲空間が、飛翔害虫に対する誘引性能と捕獲性能を向上させることを知見し、更に、粘着物を使用せず使い易いことも加味させて、本発明を完成するに至ったものである。
のである。
【００１１】
本発明では、蓋状体に設けられる害虫進入口の１個当たりの開孔面積は、好ましくは１．０〜２０ｍｍ2、より好ましくは２．０〜１０ｍｍ2に設定される。
従来は、害虫進入口の開孔面積の技術的意義にそれほど留意されておらず、例えば、特許文献１（特開２００２−２７２３４４号公報）の実施例では、直径０．８ｃｍ（５０ｍｍ2）の侵入口が記載され、また、特許文献２（特開２００９−１１２１９７号公報）では、１０〜３００ｍｍ2の広範囲を規定する一方、実施例では開口部の開孔面積に関する記載が省かれている。しかるに、本発明者らは、各種飛翔害虫の習性を調べ、その誘引性と捕獲性を鋭意検討した結果、害虫進入口の開孔面積を１．０〜２０ｍｍ2、好ましくは２．０〜１０ｍｍ2とすることによって、特にコバエ類に対する誘引性能と捕獲性能を向上させえることを見出したのである。
【００１２】
本発明で用いる薬剤組成物を構成する殺虫成分としては、ジノテフラン、イミダクロプリド、クロチアニジン等のネオニコチノイド系殺虫成分、天然ピレトリン、アレスリン、フラメトリン、プラレトリン、レスメトリン、フタルスリン、トランスフルトリン、メトフルトリン、フェノトリン、シフェノトリン、ペルメトリン、シフルトリン、エトフェンプロックス等のピレスロイド系殺虫成分、シラフルオフェン等の有機ケイ素系殺虫成分、フェニトロチオン、ダイアジノン、マラソン、プロチオホス等の有機リン系殺虫成分、メトキサジアゾン等のオキサジアゾール系殺虫成分、フィプロニル等のピラゾール系殺虫成分、ピリプロキシフェン、ハイドロプレン等の昆虫成長制御剤等があげられ、なかでも、ジノテフラン、イミダクロプリド、クロチアニジン等のネオニコチノイド系殺虫成分が好ましい。なかんずく、ジノテフランが好適であり、薬剤組成物中に、０．０１〜１．０質量％程度配合される。
なお、上記殺虫成分のなかには元来忌避性を有するものもあるが、揮散性誘引成分の誘引性能に影響を及ぼさない範囲において使用しても構わない。
【００１３】
揮散性誘引成分としては、カツオブシフレーバー、ローストシュガーフレーバー、ゴマ油フレーバー、海老フレーバー、オニオンフレーバー、キャベツフレーバー、ヌカフレーバー、ミソフレーバー、ローストショウユフレーバー、メープルエッセンス等のフレーバー類、ビール、ワイン、食酢、黒酢、各種果実エキス、野菜や果実の発酵物等があげられ、対象とする飛翔害虫の種類に応じて適宜選択すればよい。
かかる揮散性誘引成分の配合量は、１．０〜５．０質量％の範囲が適当であり、この混合比率で高い誘引効果を得ることができる。
また、三温糖、黒糖等の糖類、酵母、蜂蜜、卵粉、サナギ粉等の摂食誘引物質を配合してもよいことはもちろんである。
【００１４】
本発明で用いる薬剤組成物は、前記成分の外、蒸散抑制物質を含有する。蒸散抑制物質としては、脂肪族多価アルコール、沸点が２００℃以上の水溶性溶剤、界面活性剤等があげられるが、脂肪族多価アルコールが好ましい。かかる脂肪族多価アルコールとしては、グリセリン、プロピレングリコール、トリエチレングリコール、１，３−ブチレングリコール、ヘキシレングリコール等があげられ、なかでもグリセリンが好適である。例えば、エタノール等の揮散性の高い溶剤のみ使用すると、薬液保持体を長期にわたり湿潤に保つことができないので好ましくない。
通常、更に水を配合し、液状の薬剤組成物を調製するが、誘引性に支障を来たさない限りにおいて、その他の成分を適宜添加することができる。このような成分としては、例えば、安定剤、防腐剤、分散剤、ビトレックス等の苦味剤、色素等の各種補助成分があげられる。
なお、ゲル状形態の飛翔害虫捕獲器も多数提案されているが、本発明の構成では、液状の方が捕獲性の点で有利であることが試験で認められた。
【００１５】
こうして得られた液状の薬剤組成物を保持させる担体は、吸液性が高く液漏れを招かない材質であれば限定されず、セルロース系担体、プラスチック樹脂担体及び無機質担体等があげられる。吸液性の点からセルロース系担体が好ましく、具体的な材質として、例えばフェルトを例示できる。セルロース系担体の大きさは、容器にちょうどはまり込むような略方形で、その厚みは所望の誘引空間並びに捕獲空間を確保するために、容器の高さの０．４〜０．８倍に設定するのがよい。
【００１６】
かかる構成の飛翔害虫捕獲具は、コンパクトな形態で製造性にも優れており、使用に際しては、台所、食器棚、ゴミ箱の近辺や植木鉢の土の上などに置くだけで良い。また、蓋状体及び／又は容器の一周辺部分から、支持部材を延出させた形態とすれば、前記したように、載置用としてだけでなく、種々の有用な設置方法を提供しうる。例えば、フック状の支持部材であれば、ゴミ箱等に引っ掛けて使用することができ、この場合、有効な設置スペースを確保できるとともに、水回り近辺で使用しても水などの異物が入り込む恐れが少ない。一方、支持部材が先細に収束するスティック状の場合、植木鉢の土中に挿して使用するのに便利であり、かかる設置方法によれば、観葉植物への水遣りの際、捕獲具内部に水が入り込みにくいというメリットを有する。
なお、蓋状体の形状は任意であり、動物や葉っぱの形状を模してデザイン性を付与することもできる。
【００１７】
前記したように、本発明飛翔害虫捕獲具の包装形態としては、容器の開口天面をバリアフィルムでシールし、使用時にこのバリアフィルムを剥がした後蓋状体を嵌着させる方法が好ましい。一方、予め容器と蓋状体を嵌着させておき、全体をバリアフィルムでシールする構成を採用しても構わないが、この場合、嵌着が完全でないと、流通保存中に容器から薬剤組成物が液漏れしたり、害虫進入口に薬剤組成物が付着して誘引性能や捕獲性能に影響を及ぼしかねないのでより留意が必要となる。
【００１８】
本発明の飛翔害虫捕獲具が対象とする昆虫としては、ハエ類、蚊類、コバエ類等の飛翔害虫があげられ、特に、ショウジョウバエ、ノミバエ、クロバネキノコバエ、キノコバエ、チョウバエ等のコバエ類に効果的である。また、フック状支持部材を備えた捕獲具は、特に台所等で発生するショウジョウバエ類の防除に有用であるし、一方、先細に収束するスティック状支持部材を延出させた形態のものは、観葉植物まわりで発生するキノコバエ類の防除に有用性が高い。なお、本発明品の誘引性能と捕獲性能は、薬剤組成物の種類や量にもよるが、通常１ケ月程度持続する。
【００１９】
次に、本発明を実施例ならびに試験例に基づき更に詳細に説明するが、本発明はこれらに限定されるものではない。
【実施例１】
【００２０】
図１は本発明飛翔害虫捕獲具の一実施例の背面からの斜視図を、また図２は正面からの斜視図を示し、容器１と蓋状体２は使用に際して嵌着される。
容器１は、大きさが３３×３３×高さ２０ｍｍのＰＥＴ製真空成形品であり、開口天面の周囲にはバリアフィルム（図示せず）をシールするために幅５ｍｍのフランジ部３が設けられている。
容器１には、薬剤組成物１０ｇをフェルト製セルロース系担体（３０ｍｍ角×厚み１２ｍｍ、厚みは容器の高さの０．６倍）に保持させた薬剤保持体が収納されており、薬剤組成物の処方は下記のとおりである。
・殺虫成分：ジノテフラン（０．１質量％）、
・揮散性誘引成分：カツオブシフレーバー（０．８質量％）、
・蒸散抑制物質：グリセリン（１５質量％）、
・他成分：黒糖、糖蜜、苦味剤・ビトレックス、防腐剤、精製水。
通常、容器１の開口天面に予めバリアフィルムがシールされているので、これを剥がして使用に供する。
【００２１】
図２に示す蓋状体２には、容器１の開口天面に相当する部分に、１個当たりの開孔面積が３．２ｍｍ2である害虫進入口４が、５３個穿設されている。
本実施例では、蓋状体２は葉っぱ状を呈し、蓋状体２の一周辺部分から、先細に収束するスティック状支持部材５が延出形成されている。
【００２２】
容器１に予めシールされているバリアフィルムを剥がした後、蓋状体２を嵌着させ、台所の床の上に置いて使用した。その結果、本発明品は、約１ケ月にわたり、ショウジョウバエ、ノミバエ等のコバエ類に対して優れた誘引性と捕獲性を保持し、その効果は薬剤保持体上の死骸を目視することによって簡単に確認できた。
【００２３】
また、実施例１において、スティック状支持部材５の替わりに、フック状支持部材を延出形成させた本発明の捕獲具を台所のゴミ箱に引っ掛けて使用した場合も、同様にコバエ類に対して優れた誘引性と捕獲性を示した。本発明品は、水回り近辺で使用しても水などの異物が入り込むことがなく、使用後の廃棄も簡単で、実用性に優れたものであった。
【実施例２】
【００２４】
実施例１に準じて、表１に示す飛翔害虫捕獲具を調製した。なお、薬剤組成物の他成分として、黒糖、糖蜜、苦味剤、防腐剤、精製水を配合し、得られた薬剤組成物１０ｇをフェルト製セルロース系担体に含浸させた。
【００２５】
【表１】
2011101613.tif 000003
【００２６】
表１に示す各種飛翔害虫捕獲具につき、ショウジョウバエを用いて、以下の試験を行った。
［試験方法］
直径２０ｃｍ、高さ２０ｃｍのアクリル円筒内床面中央に供試捕獲具を置き、蓋をした。経時的にショウジョウバエ５０匹を放ち、捕獲具のフェルト製セルロース系担体上で致死したショウジョウバエを数え、誘引性を加味した捕獲性能を調べた。結果を表２に示す。なお、捕獲性能評価は、以下の基準によった。
◎；  ３１匹以上、  ○；１１〜３０匹、  △；６〜１０匹、  ×；０〜５匹
【００２７】
【表２】
2011101613.tif 000004
【００２８】
試験の結果、本発明の飛翔害虫捕獲具は、ショウジョウバエに対して高い誘引効果と優れた捕獲性能を示した。即ち、薬剤組成物中の蒸散抑制物質として脂肪族多価アルコールを含有し、薬剤保持体と蓋状体２との空隙を容器容積の０．２〜０．６倍に特定した本発明品の有用性は明らかである。なお、害虫進入口４の１個当たりの開孔面積としては、１．０〜２０ｍｍ2が好ましく、２．０〜１０ｍｍ2の範囲がより一層好ましかった。
これに対し、比較例１や比較例２のように、空隙と容器容積の比率が０．２〜０．６倍の範囲を外れるものは捕獲性能が悪く、揮散性誘引成分を配合しない比較例３の捕獲性能は非常に低かった。また、溶剤としてエタノールを用いた場合（比較例４）は、効果の持続性が劣り、更に比較例５の試験結果から、本発明の構成では、薬剤組成物としてゲル状よりも液状の方が好ましいことが認められた。
【実施例３】
【００２９】
実施例１に準じて、表３に示す飛翔害虫捕獲具を調製した。なお、薬剤組成物の他成分として、三温糖、苦味剤、防腐剤、精製水を配合し、得られた薬剤組成物１０ｇをフェルト製セルロース系担体に含浸させた。
【００３０】
【表３】
2011101613.tif 000005
【００３１】
表３に示す各種飛翔害虫捕獲具につき、観葉植物のまわりで発生するクロバネキノコバエを用いて、以下の試験を行った。
［試験方法］
直径２０ｃｍ、高さ２０ｃｍのアクリル円筒内床面中央に供試捕獲具を置き、蓋をした。経時的にクロバネキノコバエ５０匹を放ち、捕獲具のフェルト製セルロース系担体上で致死したクロバネキノコバエを数え、誘引性を加味した捕獲性能を調べた。結果を表４に示す。なお、捕獲性能評価は、以下の基準によった。
◎；  ３１匹以上、  ○；１１〜３０匹、  △；６〜１０匹、  ×；０〜５匹
【００３２】
【表４】
2011101613.tif 000006
【００３３】
試験の結果、本発明の飛翔害虫捕獲具は、実施例２と同様に、クロバネキノコバエに対しても高い誘引効果と優れた捕獲性能を示した。なお、薬剤組成物中の蒸散抑制物質としては、脂肪族多価アルコールを含有する本発明品８及び９が、エーテル系の本発明品１０よりも優れ、なかでもグリセリンが好ましかった。
これに対し、殺虫成分又は揮散性誘引成分を配合しない比較例６や比較例７は、捕獲性能が非常に劣り、溶剤としてイソプロパノールを用いた場合（比較例８）、効果の持続性の点で本発明の目的に合致しなかった。
【実施例４】
【００３４】
リビングルームに置いた観葉植物の植木鉢の周辺で発生するコバエ類に対し、実施例３に示す本発明品８及び９を用いて実用試験を行った。延出したスティック状支持部材５を、植木鉢の土中に挿し込み使用したところ、直後からクロバネキノコバエ類が害虫進入口４を通って容器１内に進入し、その後薬剤保持体上で死に至るのが観察された。本発明品は、クロバネキノコバエ類に対する高い誘引効果と、クロバネキノコバエ類の習性に合った捕獲具形状に基づき、優れた捕獲性能を示し、その防除効果は約１ケ月間持続した。本発明品は、インテリアにマッチし、しかも、水遣りの際捕獲具内部に水が入り込むことがなく、使用後の廃棄も簡単で、実用性に優れたものであった。
【産業上の利用可能性】
【００３５】
本発明の飛翔害虫捕獲具は、飛翔害虫防除に極めて有用であり、これ以外の害虫防除にも応用できる可能性がある。
【符号の説明】
【００３６】
１  ：容器
２  ：蓋状体
３  ：フランジ部
４  ：害虫進入口
５  ：スティック状支持部材
【図１】
2011101613.tif 000007
【図２】
2011101613.tif 000008